(57)【要約】【課題】読取部において原稿の搬送性能を向上させると共に、読取部の清掃や部品の交換等のメンテナンス性に優れた自動原稿送り装置を提供する。【解決手段】プラテンガラス上方の読取位置の上流側から下流側に原稿を案内する案内ガイド手段を備える自動原稿送り装置であって、前記案内ガイド手段は、前記読取位置の原稿搬送方向上流側に設けられて原稿を前記読取位置に案内する搬入ガイド部材と、前記読取位置の原稿搬送方向下流側に設けられて前記読取位置から搬出される原稿を案内する搬出ガイド部材と、前記搬入ガイド部材と前記搬出ガイド部材の間に配置されて前記プラテンガラス側に湾曲した原稿読取経路を形成する可撓性の読取ガイド部材とを一体的に備えた読取ガイドユニットからなり、前記読取ガイドユニットを装置フレームに対して着脱可能に支持するように構成した。【選択図】　図５
2004061978.tif 000002
【特許請求の範囲】
【請求項１】
プラテンガラス上方の読取位置の上流側から下流側に原稿を案内する案内ガイド手段を備える自動原稿送り装置であって、
前記案内ガイド手段は、
前記読取位置の原稿搬送方向上流側に設けられて原稿を前記読取位置に案内する搬入ガイド部材と、
前記読取位置の原稿搬送方向下流側に設けられて前記読取位置から搬出される原稿を案内する搬出ガイド部材と、
前記搬入ガイド部材と前記搬出ガイド部材の間に配置されて前記プラテンガラス側に湾曲した原稿読取経路を形成する可撓性の読取ガイド部材と、
を一体的に備えた読取ガイドユニットからなり、
前記読取ガイドユニットを装置フレームに対して着脱可能に支持することを特徴とする自動原稿送り装置。
【請求項２】
プラテンガラス上方の読取位置の上流側から下流側に原稿を案内する案内ガイド手段を備える自動原稿送り装置であって、
前記案内ガイド手段は、
前記読取位置の原稿搬送方向上流側に設けられて原稿を前記読取位置に案内する搬入ガイド部材と、
前記読取位置の原稿搬送方向下流側に設けられて前記読取位置から搬出される原稿を案内する搬出ガイド部材と、
前記搬入ガイド部材と前記搬出ガイド部材の間に配置されて前記プラテンガラス側に湾曲した原稿読取経路を形成する可撓性の読取ガイド部材と、
を一体的に備えた読取ガイドユニットからなり、
前記読取ガイドユニットを装置フレームの所定位置に設けられた支持軸を中心に回動自在に支持することを特徴とする自動原稿送り装置。
【請求項３】
前記搬入ガイド部材と前記搬出ガイド部材は、樹脂部材により一体に形成されたことを特徴とする請求項１又は２に記載の自動原稿送り装置。
【請求項４】
前記読取ガイド部材は、その一方の端部が前記搬入ガイド部材に固定して取り付けられ、他方の端部が前記搬出ガイド部材の案内面側に延設される透明フィルム部材であることを特徴とする請求項１乃至３の何れか１つに記載の自動原稿送り装置。
【請求項５】
前記読取ガイド部材は、その他方の端部を原稿幅方向に複数に分割して形成し、この分割された前記フィルム部材の下流側先端の一部を前記排紙ガイドの案内面側に延設させ、一部を前記排紙ガイドの背面側に延設させた請求項４に記載の自動原稿送り装置。
【請求項６】
前記読取ガイド部材は、前記搬入ガイド部材における原稿案内面に沿って取り付けられた請求項４に記載の自動原稿送り装置。
【請求項７】
前記読取ガイドユニットは、前記読取ガイド部材と前記プラテンガラスとの間に設けられた白色板状部材を有する請求項４に記載の自動原稿送り装置。
【請求項８】
前記読取ガイドユニットは、前記支持軸に嵌め込まれる嵌合部を有し、前記読取ガイドユニットは、前記嵌合部が前記支持軸から引き抜かれることにより前記装置フレームから取り外し可能に構成されたことを特徴とする請求項２に記載の自動原稿送り装置。
【請求項９】
搬送される原稿を読み取るためのプラテンガラスと、前記プラテン上に原稿を搬送する自動原稿送り装置と、前記プラテンガラス上の読取位置において原稿を読み取る光学読取手段とを有する画像読取装置であって、
前記自動原稿送り装置は、
前記読取位置の原稿搬送方向上流側に設けられて原稿を前記読取位置に案内する搬入ガイド部材と、
前記読取位置の原稿搬送方向下流側に設けられて前記読取位置から搬出される原稿を案内する搬出ガイド部材と、
前記搬入ガイド手段と前記搬出ガイド手段の間に配置されて前記プラテンガラス側に湾曲した原稿読取経路を形成する可撓性部材から成る読取ガイド部材と、を一体的に構成した読取ガイドユニットを備え、
前記読取ガイドユニットは、装置フレームに対して着脱可能に支持されたことことを特徴とする画像読取装置。
【請求項１０】
搬送される原稿を読み取るためのプラテンガラスと、前記プラテン上に原稿を搬送する自動原稿送り装置と、前記プラテンガラス上の読取位置において原稿を読み取る光学読取手段とを有する画像読取装置であって、
前記自動原稿送り装置は、
前記読取位置の原稿搬送方向上流側に設けられて原稿を前記読取位置に案内する搬入ガイド部材と、
前記読取位置の原稿搬送方向下流側に設けられて前記読取位置から搬出される原稿を案内する搬出ガイド部材と、
前記搬入ガイド手段と前記搬出ガイド手段の間に配置されて前記プラテンガラス側に湾曲した原稿読取経路を形成する可撓性部材からなる読取ガイド部材と、を一体的に構成した読取ガイドユニットを備え、
前記読取ガイドユニットは、装置フレームの所定位置に設けられた支持軸を中心に回動自在に支持されたことを特徴とする画像読取装置。
【請求項１１】
前記読取ガイド部材は、その一方の端部が前記搬入ガイド部材に固定して取り付けられ、他方の端部が前記搬出ガイド部材の案内面側に延設される透明フィルム部材であることを特徴とする請求項９又は１０に記載の画像読取装置。
【請求項１２】
前記読取ガイド部材は、その他方の端部を原稿幅方向に複数に分割して形成し、この分割された前記フィルム部材の下流側先端の一部を前記排紙ガイドの案内面側に延設させ、一部を前記排紙ガイドの背面側に延設させた請求項１１に記載の画像読取装置。
【請求項１３】
前記読取ガイドユニットは、前記読取ガイド部材と前記プラテンガラスとの間に設けられた白色板状部材を有する請求項１１に記載の画像読取装置。
【発明の詳細な説明】
【０００１】
【発明の属する技術分野】
本発明は、複写機、ファクシミリ等の画像形成装置が具備する原稿読取装置に関し、特に、原稿読取装置における原稿自動送り装置に関する。
【０００２】
【従来の技術】
画像形成装置に具備される原稿読取装置の原稿読取方式には、ベルトやローラの搬送手段によって搬送された原稿をプラテンガラス上に静止させて静止した原稿を読取光学系を走査させることにより当該原稿の画像を読み取る原稿固定読取方式と、搬送装置によって移動する原稿を所定の読取位置において静止した読取光学系で読み取るようにしたシートスルー読取方式の二種類の読取方式が、従来から一般的に知られている。
【０００３】
ここで、後者のシートスルー読取方式の原稿読取装置は、原稿を載置する第１のプラテンガラスとこの第１のプラテンガラスに隣接して配置された第２のプラテンガラスとを備え、第１のプラテンガラス上に載置されたブック物等の静止した原稿の読み取りを、読取手段を副走査方向（原稿の搬送方向）に移動させつつ行うと共に、原稿搬送装置の給紙トレイから送られた原稿を第２のプラテンガラス上を通過させ、この通過する原稿を第２のプラテンガラスの下方に静止する読取手段によって原稿を読み取るように構成されている。
【０００４】
このように構成された従来の原稿読取装置の読取部においては、図５（ａ）に示すように、第２のプラテンガラス１０１の上流側に配置された搬入ローラ対１０２と、第２のプラテンガラス１０１の下流側に配置された排出ローラ対１０３と、第２のプラテン１０１の上面と対向して設けられた案内ガイド１０４を有する湾曲した読取経路１０６とが設けられている。そして、搬入ローラ１０２上流側の給紙トレイ（図示せず）から送られた原稿は、搬入ローラ１０２によって第２のプラテンガラス１０１に送られた後に、第１のプラテンガラス１００と第２のプラテンガラス１０１の間に設けられた掬い上げ部材１０５にて第２のプラテンガラス１０１の上面から掬い上げられて搬出ローラ１０３に案内される。
【０００５】
しかし、このような原稿読取装置の読取部においては、第２のプラテンガラス１０１からの原稿の先端を掬い上げ部材１０５にて掬い上げる際に、原稿先端が掬い上げ部材１０５の傾斜面に突き当たる際の衝撃によって、読取位置において原稿の搬送ブレや速度変化が生じることとなり、読取画像が歪む原因となっていた。また、原稿の後端が搬入ローラ１０２における原稿ニップ点を通り過ぎる際に、原稿の後端が下方側に急激に落下することとなるので原稿の搬送ブレや速度変化が生じて読取画像が歪む原因となっていた。
【０００６】
この問題を解決するために、他の従来技術においては、図５（ｂ）で示すような第２のプラテンガラス２０１の上に透明フィルム部材２０７を設け、この透明フィルム部材２０７に沿って原稿を搬送するように構成したものがあった。
【０００７】
この透明フィルム部材２０７は、案内ガイド２０４と第２のプラテンガラス２０１の間に配置され、案内ガイド２０４との間に湾曲した読取経路２０６を形成する。そして、この透明フィルム２０７は、その一端２０７ａが読取経路２０６の上流側ガイド２０８の裏側に固着されてその他端２０７ｂはフリーの状態になっており、読取経路２０６の下流ガイド２０９の内側に差し込まれた状態となっている。
【０００８】
この透明フィルム部材２０７は、例えば、ポリエチレンテレフタレートシート（マイラー）等の可撓性部材で構成され、第２のプラテンガラス２０１の長手方向のほぼ全域に対向位置して第２のプラテンガラス２０１上面に接触するように取り付けられている。これによって、読取部に給紙された原稿は、搬入ローラ２０２によって透明フィルム部材２０７と案内ガイド２０４との間に案内され、第２のプラテンガラス２０１の上方を通過する。そして、第２のプラテンガラス２０７の下方の読取位置に静止した読取手段が第２のプラテンガラス２０１と透明フィルム部材２０７を介して原稿の画像を読み取ることとなる。そして、読み取られた原稿は、透明フィルム部材２０７に沿って搬出ローラ２０３に導かれて排出されるのである。
【０００９】
【発明が解決しようとする課題】
上述した透明フィルム部材２０７は、原稿が擦れて搬送されるためキズや汚れが付着して読取画像に影響を及ぼすので定期的に原稿案内面を清掃したり、透明フィルム部材そのものを交換する必要がある。この透明フィルム部材の交換作業は、画像読取装置に対して自動原稿送り装置を開状態として行うため、限られたスペースで作業を行わなければならなす、その透明フィルム部材の取扱によっては、キズや折れが生じる可能性があり交換作業が煩雑であった。また、透明フィルム部材の原稿搬送方向下流側端部を排紙経路内に差し込む際に確実に差し込まれずに原稿のジャム等の要因になっていた。
【００１０】
本発明は、原稿の走行を安定にするために読取部に設けられる透明フィルム部材のメンテナンスを容易にし、メンテナンス時にフィルム部材に損傷が生じない自動原稿送り装置を提供することを目的とする。
【００１１】
【課題を解決するための手段】
本発明は、上記問題に鑑みてなされたものであって、プラテンガラス上方の読取位置の上流側から下流側に原稿を案内する案内ガイド手段を備える自動原稿送り装置であって、前記案内ガイド手段は、前記読取位置の原稿搬送方向上流側に設けられて原稿を前記読取位置に案内する搬入ガイド部材と、前記読取位置の原稿搬送方向下流側に設けられて前記読取位置から搬出される原稿を案内する搬出ガイド部材と、前記搬入ガイド部材と前記搬出ガイド部材の間に配置されて前記プラテンガラス側に湾曲した原稿読取経路を形成する可撓性の読取ガイド部材とを一体的に備えた読取ガイドユニットからなり、前記読取ガイドユニットを装置フレームに対して着脱可能に支持することを特徴とする自動原稿送り装置を提供するものである。
【００１２】
このように、搬入ガイド部材と搬出ガイド部材の間に配置されて前記プラテンガラス側に湾曲した原稿読取経路を形成する可撓性の読取ガイド部材とを一体的に備える読取ガイドユニットにより、読取部における原稿の搬送を安定化させると共にフィルム部材及び白ガイドの交換及びクリーニング等のメンテナンスを容易にしたのである。
【００１３】
さらに、本発明は、プラテンガラス上方の読取位置の上流側から下流側に原稿を案内する案内ガイド手段を備える自動原稿送り装置であって、前記案内ガイド手段は、前記読取位置の原稿搬送方向上流側に設けられて原稿を前記読取位置に案内する搬入ガイド部材と、前記読取位置の原稿搬送方向下流側に設けられて前記読取位置から搬出される原稿を案内する搬出ガイド部材と、前記搬入ガイド部材と前記搬出ガイド部材の間に配置されて前記プラテンガラス側に湾曲した原稿読取経路を形成する可撓性の読取ガイド部材とを一体的に備えた読取ガイドユニットからなり、前記読取ガイドユニットを装置フレームの所定位置に設けられた支持軸を中心に回動自在に支持することを特徴とする自動原稿送り装置を提供するものである。
【００１４】
このように、読取ガイドユニットを装置フレームの所定位置に設けられた支持軸を中心に回動自在に支持されることにより、ガイドユニットを、装置フレームに対し所定の角度で開放することが可能となり、フィルム部材及び白ガイドのクリーニング等のメンテナンスを容易にしたのである。
【００１５】
また、前記搬入ガイド部と前記搬出ガイド部は、樹脂部材により一体的に形成され、さらに、前記読取ガイド部材は、その一方の端部が前記搬入ガイド部材に固定して取り付けられ、他方の端部が前記搬出ガイド部材の案内面側に延設される透明フィルム部材であることを特徴とする。
【００１６】
また、前記読取ガイド部材は、その他方の端部を原稿幅方向に複数に分割して形成し、この分割された前記フィルム部材の下流側先端の一部を前記排紙ガイドの案内面側に延設させ、一部を前記排紙ガイドの背面側に延設させるとともに、前記搬入ガイド部材における原稿案内面に沿って取り付けられるのである。
【００１７】
そして、前記読取ガイドユニットは、前記読取ガイド部材と前記プラテンガラスとの間に設けられた白色板状部材を有することにより、薄手原稿の読取時において案内ガイド部の面がＣＣＤ等の光学センサに検出されないようにしている。
【００１８】
さらに、前記読取ガイドユニットは、前記支持軸に嵌め込まれる嵌合部を有し、前記読取ガイドユニットは、前記嵌合部が前記支持軸から引き抜かれることにより前記装置フレームから取り外し可能に構成されたので、前記読取ガイドユニットは、前記嵌合部が前記支持軸から引き抜かれることにより前記装置フレームからの取り外が容易となり、本装置のメンテナンス性を著しく向上させたのである。
【００１９】
本発明は、また、搬送される原稿を読み取るためのプラテンガラスと、前記プラテン上に原稿を搬送する自動原稿送り装置と、前記プラテンガラス上の読取位置において原稿を読み取る光学読取手段とを有する画像読取装置であって、前記自動原稿送り装置は、前記読取位置の原稿搬送方向上流側に設けられて原稿を前記読取位置に案内する搬入ガイド部材と、前記読取位置の原稿搬送方向下流側に設けられて前記読取位置から搬出される原稿を案内する搬出ガイド部材と、前記搬入ガイド手段と前記搬出ガイド手段の間に配置されて前記プラテンガラス側に湾曲した原稿読取経路を形成する可撓性部材から成る読取ガイド部材と、を一体的に構成した読取ガイドユニットを備え、前記読取ガイドユニットは、装置フレームに対して着脱可能に支持されたことことを特徴とする画像読取装置を提供するものである。
【００２０】
本発明は、さらに、搬送される原稿を読み取るためのプラテンガラスと、前記プラテン上に原稿を搬送する自動原稿送り装置と、前記プラテンガラス上の読取位置において原稿を読み取る光学読取手段とを有する画像読取装置であって、前記自動原稿送り装置は、前記読取位置の原稿搬送方向上流側に設けられて原稿を前記読取位置に案内する搬入ガイド部材と、前記読取位置の原稿搬送方向下流側に設けられて前記読取位置から搬出される原稿を案内する搬出ガイド部材と、前記搬入ガイド手段と前記搬出ガイド手段の間に配置されて前記プラテンガラス側に湾曲した原稿読取経路を形成する可撓性部材からなる読取ガイド部材と、を一体的に構成した読取ガイドユニットを備え、前記読取ガイドユニットは、装置フレームの所定位置に設けられた支持軸を中心に回動自在に支持されたことを特徴とする画像読取装置を提供するものである。
【００２１】
ここで、前記読取ガイド部材は、その一方の端部が前記搬入ガイド部材に固定して取り付けられ、他方の端部が前記搬出ガイド部材の案内面側に延設される透明フィルム部材であり、その他方の端部を原稿幅方向に複数に分割して形成し、この分割された前記フィルム部材の下流側先端の一部を前記排紙ガイドの案内面側に延設させ、一部を前記排紙ガイドの背面側に延設させたことを特徴とする。
【００２２】
そして、前記読取ガイドユニットは、前記読取ガイド部材と前記プラテンガラスとの間に設けられた白色板状部材を有するのである。
【００２３】
【発明の実施の形態】
以下、本発明に係る原稿読取装置１における自動原稿送り装置の実施の形態例を、図面を参照しつつ詳細に説明する。
【００２４】
図１は、本発明に係る原稿読取装置１に搭載された自動原稿送り装置２を示す断面図である。
【００２５】
原稿読取装置１本体は、プラテンガラス４を介してランプ等の光源５からの光を搬送される原稿に照射し、その反射光を複数のミラー６で反射させてレンズ７を介してＣＣＤなどの読取素子８により光電変換して原稿画像を読み取る。ここで、本自動原稿送り装置は、プラテンガラス４に載置されたブック物等の厚い原稿を光源５やミラー６などから構成される光源ユニットを副走査方向に移動させることによってプラテンガラス４を介して原稿の画像を読み取るモードと、自動原稿送り装置でプラテンガラス４の上方を搬送される原稿を所定の読取位置で光源ユニットを停止させて読み取るモードとを備えている。
【００２６】
図１における本装置の実施の形態においては、２キャリッジ方式の画像読取装置の例を記載しているが、光源５、ミラー６、レンズ７、読取素子８が一つのキャリッジに搭載された光学読み取り手段がプラテンガラス４の下を図面の右側から左側（副走査方向）に移動しつつ原稿面の画像を読み取るように構成した１キャリッジ方式の画像読取装置にも、本発明が摘要可能である。
【００２７】
自動原稿送り装置は、複数枚の原稿を載置可能な給紙トレイ１０と、読み取られた原稿を収納する排紙トレイ１１と、プラテンガラス４を押圧するためにスポンジ等の多孔質部材と白色マイラー等のフィルム部材で構成された押圧カバー１２を備えている。
【００２８】
給紙部は、給紙トレイ１０上に載置された原稿の最上位原稿に接触して繰り出す昇降自在な繰り出しローラ２１、繰り出しローラ２１で繰り出された原稿を給送する給紙ローラ２２と最上位原稿の１枚のみを通過して２枚目以降の原稿の給送を阻止する分離部材２３からなる分離手段、この分離手段で１枚に分離され給送される原稿の先端を突き当てて整合した後に下流側に送るレジストローラ対２４が配置されている。
【００２９】
これらの繰り出しローラ２１、給紙ローラ２２、レジストローラ対２４によって給紙トレイ１０上の原稿は給紙経路３０に沿って案内される。この繰り出しローラ２１、給紙ローラ２２は、給紙モータＭ１にワンウェイクラッチＯＷ１（図示せず）を介して駆動連結されており、またレジストローラ対２４はワンウェイクラッチＯＷ２（図示せず）を介して給紙モータＭ１に駆動連結されている。これにより、給紙モータＭ１の正転で繰り出しローラ２１と給紙ローラ２２を駆動し、逆転でレジストローラ対２４が駆動される。
【００３０】
排紙部には、搬出ローラ対２５からの原稿を排紙経路３１に沿って排紙トレイ１１に排紙する排紙ローラ対２６が配置されている。この排紙ローラ対２６は正逆転可能な搬送排紙モータＭ２に連結されており、両面モードの際に原稿の後端部をニップした状態で逆回転して原稿をスイッチバックして循環経路３２を介して搬送経路３５に再送するように制御される。また、排紙経路３１には送られる原稿の先端によって上方に可動して原稿を通過させ、原稿の後端が通過すると下方に可動する自重フラッパ４１が設けられており、この自重フラッパ４１は、排紙ローラ２６が逆転してスイッチバックされた原稿を支障なく循環経路３２に案内する。このフラッパ４１は、常時付勢バネで下方に付勢されており、原稿が排紙経路３１に沿って排紙ローラ対２６に送られる際には排紙される原稿の先端により上方に押し上がり原稿の通過を許容し、排紙ローラ対２６にて原稿をスイッチバックする際には下方に位置して排紙経路３１を塞ぎ、循環経路３２に原稿を案内するように構成されている。
【００３１】
給紙トレイ１０の原稿給紙方向下流側には、給紙トレイ１０上に原稿が載置されたことを検出するエンプティセンサＳ１が設けられ、給紙経路３０には給紙される原稿の端部を検知するレジストセンサＳ２が設けられている。さらに、読取部の手前にはリードセンサＳ３、排紙ローラ対２６の手前には排出センサＳ４がそれぞれ設けられており、これらのセンサは送られる原稿の端部を検知する。
【００３２】
上記の各センサＳ１〜Ｓ４は、原稿の搬送を制御するためのＣＰＵ等を含む制御手段に接続されており、各センサからの検知信号に基づいて、上述した各モータＭ１、Ｍ２及び各ソレノイドＳＯＬ１（図示せず）が制御され、原稿の搬入及び搬出動作が実行される。
【００３３】
また、給紙トレイ１０には、原稿給紙方向に複数のセンサが設けられており、この複数のセンサの出力信号により給紙トレイ１０上に載置された原稿の長さが検出される。さらに、給紙トレイ１０上に載置された原稿の幅方向を規制するサイドガイド１３が設けられており、このサイドガイド１３の移動量によって出力が変化するボリューム（図示せず）から原稿の幅を検出する。この原稿の長さと原稿の幅の検出結果に基づき原稿サイズを判断する。
【００３４】
図２に示すように、本装置の読取部２０は、読取位置Ｘに原稿を搬送する搬入ローラ対２８、この搬入ローラ対２８からの原稿を読取位置Ｘに向けて案内する搬入ガイド１５、読取位置Ｘに読み取られた原稿を搬出する搬出ローラ２５、読取位置Ｘからの原稿を搬出ローラ２５に案内するための搬出ガイド１６、搬入ガイド１５と搬出ガイド１６との間に掛け渡されプラテンガラス側に湾曲した原稿読取経路を形成する可撓性部材から成る透明フィルム部材５０、読取位置Ｘと搬入ローラ対２８との間に設けられて透明フィルム部材５０に接触するプラテンローラ２７、プラテンローラ２７の下流に配置されて透明フィルム部材５０に接触する白色のバックアップガイド４５で構成されている。
【００３５】
また、透明フィルム部材５０とプラテンガラス４との間には白色板状部材４３、４４が設けられている。この白色板状部材４３、４４は、読取位置Ｘの原稿搬送方向前後に設けられており、プラテンガラス４に手置きされた薄紙原稿が光源５の光を透過しても良好な画像を得ることができる。
【００３６】
図３は、透明フィルム部材５０と搬入ガイド１５、搬出ガイド１６の構成の斜視図を示す。
【００３７】
透明フィルム部材５０は、原稿搬送方向上流側の一端部に取付孔５０ｄが複数設けられており、この取付孔５０ｄと搬入ガイド１５に固定部として形成された突起５０ａとを係合させることによって固定支持している。また、下流側の他端部は簾状に複数に分割された舌部５０ｂ、５０ｃが形成されている。そして、この簾状に分割された隣り合う舌部５０ｂ、５０ｃの一方の舌部５０ｂは、搬出ガイド１６の原稿案内面側にフリー状態に延設されている。他方の舌部５０ｃは搬出ガイド１６の背面側に延設されており、その先端に設けられた取付孔５０ｆが後述する張力付与部材５５に支持部として形成された突起５５ａに係合されている。
【００３８】
上記したように取り付けられた透明フィルム部材５０は、搬入ガイド１５の原稿案内面から搬出ガイド１６の原稿案内面に沿って湾曲した搬送経路３５を形成しており、弾性力によりプラテンローラ２７の周面に圧接されている。
【００３９】
プラテンガラス４と透明フィルム部材５０との間には、透明フィルム部材５０が下方に揺動可能とする所定の空間ＳＰ（０．５ｍｍ〜１．０ｍｍ）が確保される。この空間ＳＰは、装置フレームに設けられた規制手段（突起）がプラテンガラス４上面に当接し、装置フレームに固定されたプラテンローラ２７の位置を位置決めすることによって形成される。透明フィルム部材５０は、プラテンローラ２７と透明フィルム部材５０の間に進入された原稿によってこの空間ＳＰ内を下方に変動させるようにして揺動し、これによって、原稿が原稿搬送経路内をスムースに通過させることを可能としているのである。
【００４０】
図４は、本装置における読取部２０における張力付与部材５５の部位を拡大した概略図である。図３の説明で述べたように、張力付与部材５５は、透明フィルム部材５０の舌部５０ｃの取付孔５０ｆに係合させることで透明フィルム部材５０を固定支持する突起５５ａと、読取ガイドユニットの骨格の側部に形成されたピンに係合するための軸支孔が形成されたアーム部５５ｂが形成されている。
【００４１】
また、読取ガイドユニット６０の骨格の側部とアーム部５５ｂとの間には、張力付与部材５５を読取ガイドユニットの側部のピボット軸（回転軸）５６ａを支点として原稿搬送方向に回動付勢する捩りコイルバネ５６が取り付けられている。
【００４２】
この捩りコイルバネ５６は、一端が張力付与部材５５のアーム部５５ｂに取付けられ、他端が読取ガイドユニット６０の側部に取り付けられており、張力付与部材５５を回動付勢することにより透明フィルム部材５０に張力を付与する。
【００４３】
ここで、透明フィルム部材５０は、張力が付与されることによって、透明フィルム部材５０に接触するプラテンローラ２７と透明フィルム部材５０の舌部５０ｃに接触する搬出ガイド１６の上流側端部との間のたるみが解消され、プラテンローラ２７と搬出ガイド１６との間を略平行にする。
【００４４】
ここで、読取ガイドユニット６０について説明する。図５は、図３で説明した搬入ガイド１５、搬出ガイド１６及び透明フィルム部材５０とが一体的に構成された読取ガイドユニット６０の斜視図を示す。搬入ガイド１５、搬出ガイド１６、透明フィルム部材５０及び張力付与部材５５は、一体の読取ガイドユニット６０を構成しており、装置フレーム１７に対して着脱可能に取り付けられている。
【００４５】
さらに、搬入ガイド１５と搬出ガイド１６は、図３に示すように一体に樹脂形成されて読取ガイドユニット６０の骨格を形成しており、その中央部に原稿を読み取るための開口部６１が形成されている。そして、この開口部６１に透明フィルム部材５０が取り付けられ、また透明フィルム部材５０を支持する張力付与部材５５が取り付けられている。
【００４６】
図６は、装置フレーム１７に読取ガイドユニット６０を装着した状態の断面図を示す。読取ガイドユニット６０の原稿搬送方向上流側の側部には、装置フレーム１７に形成されたピン５２に嵌め込まれる嵌合部６２と装置フレーム１７の凹部１７ａに係合して読取ガイドユニット６０を所定の位置に保持するための凸部６３ａが形成されたカギ状に突出した突出部６３とが形成されている。
【００４７】
図７は、装置フレーム１７から読取ガイドユニット６０を下方に回動させた状態の断面図を示す。
【００４８】
読取ガイドユニット６０の着脱動作は、まず突出部６３に押圧力を与えて撓ませることによって、装置フレーム１７の凹部１７ａと突出部６３の凸部６３ａとの係合を解除して読取ガイドユニット６０を装置フレーム１７のピン５２を支点として所定角度（例えば、装置フレームに対して９０度）回動させる。このとき、突出部６３は板状に樹脂形成されているので容易に撓ませることが出来る。装置フレーム１７の凹部１７ａと突出部６３の凸部６３ａとの係合の解除は容易に可能である。
【００４９】
なお、透明フィルム部材５０の簡単な汚れを取り除くだけであれば、装置フレーム１７の凹部１７ａと突出部６３の凸部６３ａとの係合を解除して読取ガイドユニット６０を装置フレームのピン５２を支点として所定角度だけ回動させた状態で清掃などのメンテナンスを行うこともできる。
【００５０】
そして、読取ガイドユニット６０を装置フレーム１７から取り外す際は、読取ガイドユニット６０の嵌合部６２に沿って読取ガイドユニット６０を下方に引くことにより装置フレーム１７から読取ガイドユニット６０を取り外すことができる。
【００５１】
装着する際は、上述の手順とは逆に装置フレーム１７のピン５２に読取ガイドユニット６０の切欠き部６２を押し込むように嵌め込み、そして回動させることによって装置フレーム１７の凹部１７ａと読取ガイドユニット６０の突出部６３の凸部６３ａを係合させることによって装置フレーム１７に対し読取ガイドユニット６０が取り付けられる。
【００５２】
以上詳しく説明したように、本発明に係る自動原稿送り装置は、プラテンガラス上方の読取位置の上流側から下流側に原稿を案内する案内ガイド手段を備える自動原稿送り装置であって、前記案内ガイド手段は、前記読取位置の原稿搬送方向上流側に設けられて原稿を前記読取位置に案内する搬入ガイド部材と、前記読取位置の原稿搬送方向下流側に設けられて前記読取位置から搬出される原稿を案内する搬出ガイド部材と、前記搬入ガイド部材と前記搬出ガイド部材の間に配置されて前記プラテンガラス側に湾曲した原稿読取経路を形成する可撓性の読取ガイド部材とを一体的に備えた読取ガイドユニットからなり、前記読取ガイドユニットを装置フレームに対して着脱可能に支持するように構成される。
【００５３】
これにより、本装置の読取部における原稿の搬送がスムースに行われることにより、良好な画像データの取得を可能とすると共に、搬入ガイド部と案内ガイド部と搬出ガイド部とを一体的に備え、装置フレームに対して回動可能及び着脱可能に支持された読取ガイドユニットとしたことで、透明なフィルム部材に損傷を与えることなく、フィルム部材及び白ガイドの交換及びクリーニング等のメンテナンス作業を短時間に容易且つ確実に行われることを実現したのである。
【図面の簡単な説明】
【図１】本発明に係る、自動原稿送り装置の全体構成を示すものである。
【図２】自動原稿送り装置の主要部の図を示すものである。
【図３】読取ガイドユニットの構成の斜視図を示すものである。
【図４】読取部における、張力付与部材の部位を拡大した概略図である。
【図５】本発明に係る、読取ガイドユニットの斜視図を示す。
【図６】装置フレームに読取ガイドユニットを装着した状態の断面図を示す。
【図７】装置フレームから読取ガイドユニットを下方に回動させた状態の断面図を示す。
【図８】従来例における自動原稿送り装置の主要部の概要を示すものである。
【符号の説明】
１　原稿読取装置
２　自動原稿送り装置
１５　搬入ガイド
１６　搬出ガイド
１７　装置フレーム
２１　繰り出しローラ
２７　プラテンローラ
２８　搬入ローラ対
３０　給紙経路
３５　搬送経路
４３　白色板状部材
４４　白色板状部材
４５　バックアップガイド
５０　フィルム部材
５０ａ　突起
５０ｂ　舌部
５０ｃ　舌部
５０ｄ　取付孔
５０ｆ　取付孔
５５　張力付与部材
５５ｂ　アーム部
５６　コイルバネ
６０　読取ガイドユニット
６３　突出部
【図１】
2004061978.tif 000003
【図２】
2004061978.tif 000004
【図３】
2004061978.tif 000005
【図４】
2004061978.tif 000006
【図５】
2004061978.tif 000007
【図６】
2004061978.tif 000008
【図７】
2004061978.tif 000009
【図８】
2004061978.tif 000010